(57)【要約】【課題】フォーマットの異なる画像データベースの移管方法に関し、互いのフォーマットを意識することなく画像ファイルを移管する。【解決手段】システム（１，２）間の画像ファイル（６）の移管を、共通フォーマットとして定義する受渡しファイル（６２）を介在させ、移管元（１）で自己のデータベース（６）より対象データを抜出して，共通フォーマット形式に出力する。又、移管先のシステム（２）では、異なる相手のデータベース構造を意識する必要が無く、データベース（８）に移管を実行する。【選択図】図２
2004264946.tif 000002
【特許請求の範囲】
【請求項１】
第１のフォーマット形式で構成された第１の画像ファイルを格納する第１の画像データベースシステムから第２のフォーマット形式で構成された第２の画像ファイルを格納する第２の画像データベースシステムへ前記第１の画像ファイルを移管する画像データベースの移管方法において、
前記第１の画像データベースシステムから移管対象となる前記第１の画像ファイルを抽出するステップと、
前記抽出された画像ファイルを共通フォーマットの画像ファイルに変換するステップと、
前記変換された画像ファイルを前記第２のフォーマット形式の画像ファイルに変換するステップと、
前記第２のフォーマット形式の画像ファイルを前記第２の画像データベースシステムに格納するステップとを有することを特徴とする画像データベースの移管方法。
【請求項２】
前記共通フォーマットの画像ファイルに変換するステップは、第１の圧縮方式で圧縮された画像ファイルを、共通の形式の画像ファイルに変換するステップからなり、
前記第２のフォーマット形式の画像ファイルに変換するステップは、前記共通の形式の画像ファイルを第２の圧縮方式の画像ファイルに変換するステップからなることを特徴とする請求項１の画像データベースの移管方法。
【請求項３】
前記第１の画像データベースの前記第１の画像ファイルは、前記第１の圧縮方式で圧縮された印鑑イメージを格納する印鑑ファイルであり、
前記第２の画像データベースの前記第２の画像ファイルは、前記第２の圧縮方式で圧縮された印鑑イメージを格納する印鑑ファイルであることを特徴とする請求項２の画像データベースの移管方法。
【請求項４】
前記第２の画像データベースシステムに格納された前記第２のフォーマット形式の画像ファイルを前記共通フォーマットの画像ファイルに逆変換するステップと、
前記逆変換された画像ファイルと、前記第１の画像データベースシステムの前記共通フォーマットの画像ファイルと照合するステップとを更に有することを特徴とする請求項１の画像データベースの移管方法。
【請求項５】
第１のフォーマット形式で構成された第１の画像ファイルを格納する第１の画像データベースシステムから第２のフォーマット形式で構成された第２の画像ファイルを格納する第２の画像データベースシステムへ前記第１の画像ファイルを移管する画像データベースの移管システムにおいて、
前記第１の画像データベースシステムから移管対象となる前記第１の画像ファイルを抽出し、前記抽出された画像ファイルを共通フォーマットの画像ファイルに変換する第１のサーバと、
前記変換された画像ファイルを前記第２のフォーマット形式の画像ファイルに変換し、前記第２のフォーマット形式の画像ファイルを前記第２の画像データベースシステムに格納する第２のサーバとを有することを特徴とする画像データベースの移管システム。
【発明の詳細な説明】
【０００１】
【発明の属する技術分野】
本発明は、異なる画像データベース間で、必要な画像データを一の画像データベースシステムから他の画像データベースシステムに移管する画像データベースの移管方法及びそのシステムに関する。
【０００２】
【従来の技術】
様々な画像が電子化され、データベースに登録されている。例えば、印影やサイン、各種の画像コンテンツが電子データベース化されている。このような電子画像データベースシステムは、様々なメーカーが提供している。このような画像データベースシステム間で画像データを移管する場合がある。
【０００３】
例えば、様々なメーカーが、金融業務向けの電子印鑑データベースシステムを提供しているが、異なる金融機関の統合が相次いでおり、それまで電子管理していた顧客の印鑑データを、統合後に異なるシステム間で相互に受け渡して移管する必要がある。
【０００４】
このようなシステム間のデータ移管は、画像データ及び管理情報がシステム間で共通のものを使用していれば、容易にコピーできる。しかし、印鑑の管理／運用においては、各メーカーならびに各ユーザーが独自の管理形式及び運用を用いていることが多い。そして、各メーカーともに自社独自の技術（イメージデータ圧縮方式など）を保護するために情報の開示が行なえない場合には、ＡシステムからＢシステムへデータを単純にコピーすることができないためである。
【０００５】
例えば、金融業務での印鑑データ管理方式は、店番単位にデータベース区画が構築され、その店番配下に管理される顧客の口座番号配下に、複数の印鑑データが管理されており、店番−口座番号の組合せをキーとすることでユニークとしているのが一般的である。
【０００６】
このように金融業務において、店番−口座番号と顧客印鑑データの結びつきは、何れのユーザーならびにメーカーともに普遍的であるが、口座に付帯する情報や印鑑データに付帯する情報の管理形式については、異なるシステム間で相違することが度々ある。
【０００７】
また、それまで個々のシステム内では、ユニークに存在していた口座番号が、金融機関が統合することにより重複する可能性があり、口座番号のユニーク性を喪失する可能性がある。
【０００８】
このような場合に、小規模のデータベースの統合は容易であり、小規模金融機関の合併では、相互に導入済の電子印鑑データベースシステムを、一本のメーカーに統一することを行っていた。
【０００９】
【発明が解決しようとする課題】
しかし、大規模金融機関の合併の場合は、互いに抱えるメーカーの電子印鑑データベースシステムを共存させる状態での導入が要求される。これは、金融機関が互いに独自実施していた印鑑業務の運用を統一するための労力と、互いに抱える膨大な顧客データを一括して一本化する労力に多大のものを必要とするためである。
【００１０】
したがって、合併によって発生する店舗統廃合による、顧客データの整理が急務となり、店舗統廃合がひと段落したところで、システムを一本化する手順となる為、店舗統廃合に伴う顧客データの受渡しにおいて、まずは、競合メーカー間でのデータの受渡しが必要である。
【００１１】
このため、ユーザーから改めて割り振られたユニークな口座番号と印鑑伝票を元に、個々のシステムで手作業による印鑑データの登録を行なう方法では、多大な労力及び時間を必要とし、データベースの移管に時間がかかるという問題もあり、且つ登録の誤りも生じる可能性があるという問題があった。
【００１２】
従って、本発明の目的は、異なる画像データベースシステム間の画像ファイルの移管を自動化するための画像データベースの移管方法及びそのシステムを提供することにある。
【００１３】
又、本発明の他の目的は、管理形式の異なる画像データベースシステム間の画像ファイルの移管を、管理形式を相互に開示されない場合でも、自動化するための画像データベースの移管方法及びそのシステムを提供することにある。
【００１４】
更に、本発明の他の目的は、管理形式の異なる画像データベースシステム間の画像ファイルの移管を、管理形式を相互に開示されない場合でも、短時間で実行するための画像データベースの移管方法及びそのシステムを提供することにある。
【００１５】
【課題を解決するための手段】
本発明は、第１のフォーマット形式で構成された第１の画像ファイルを格納する第１の画像データベースシステムから第２のフォーマット形式で構成された第２の画像ファイルを格納する第２の画像データベースシステムへ前記第１の画像ファイルを移管する画像データベースの移管方法において、前記第１の画像データベースシステムから移管対象となる前記第１の画像ファイルを抽出するステップと、前記抽出された画像ファイルを共通フォーマットの画像ファイルに変換するステップと、前記変換された画像ファイルを前記第２のフォーマット形式の画像ファイルに変換するステップと、前記第２のフォーマット形式の画像ファイルを前記第２の画像データベースシステムに格納するステップとを有する。
【００１６】
又、本発明は、第１のフォーマット形式で構成された第１の画像ファイルを格納する第１の画像データベースシステムから第２のフォーマット形式で構成された第２の画像ファイルを格納する第２の画像データベースシステムへ前記第１の画像ファイルを移管する画像データベースの移管システムにおいて、前記第１の画像データベースシステムから移管対象となる前記第１の画像ファイルを抽出し、前記抽出された画像ファイルを共通フォーマットの画像ファイルに変換する第１のサーバと、前記変換された画像ファイルを前記第２のフォーマット形式の画像ファイルに変換し、前記第２のフォーマット形式の画像ファイルを前記第２の画像データベースシステムに格納する第２のサーバとを有する。
【００１７】
本発明では、移管元となる電子画像データベースシステムからデータを抽出し、移管元で移出の際に作成するデータ受渡しファイルをオープンな共通フォーマットに変換し、作成された受渡しファイルを、移管先システムで第２のフォーマット形式に変換して、データを移入するので、システム間の移管が、互いのフォーマット形式を意識することなく可能となる。
【００１８】
又、本発明では、好ましくは、前記共通フォーマットの画像ファイルに変換するステップは、第１の圧縮方式で圧縮された画像ファイルを、共通の形式の画像ファイルに変換するステップからなり、前記第２のフォーマット形式の画像ファイルに変換するステップは、前記共通の形式の画像ファイルを第２の圧縮方式の画像ファイルに変換するステップからなる。
【００１９】
これにより、圧縮方式を独自に所有するシステム間での画像ファイルの移管が容易に実現できる。
【００２０】
又、本発明では、好ましくは、前記第１の画像データベースの前記第１の画像ファイルは、前記第１の圧縮方式で圧縮された印鑑イメージを格納する印鑑ファイルであり、前記第２の画像データベースの前記第２の画像ファイルは、前記第２の圧縮方式で圧縮された印鑑イメージを格納する印鑑ファイルである。
【００２１】
これにより、機密性の高い印鑑イメージを、互いの圧縮方式を公開することなく、システム間で印鑑イメージの移管が可能となる。
【００２２】
又、本発明では、好ましくは、前記共通フォーマットに変換された画像ファイルを、前記第１の画像データベースシステムから中間サーバに転送するステップと、前記中間サーバの前記共通フォーマットに変換された画像ファイルを第２の画像データベースシステムが読み出すステップとを更に有する。
【００２３】
これにより、中間サーバを介するため、データ移管を自動化でき、又他に漏れることを防止できる。
【００２４】
又、本発明では、好ましくは、前記抽出ステップは、移管対象とされた画像ファイル名のリストを読み込むステップと、読み込んだ画像ファイル名で、前記第１の画像データベースシステムを検索して、前記対象となる画像ファイルを抽出するステップとからなる。これにより、対象画像ファイルを特定して、移管できる。
【００２５】
又、本発明では、好ましくは、前記第２の画像データベースシステムに格納された前記第２のフォーマット形式の画像ファイルを前記共通フォーマットの画像ファイルに逆変換するステップと、前記逆変換された画像ファイルと、前記第１の画像データベースシステムの前記共通フォーマットの画像ファイルと照合するステップとを更に有する。これにより、フォーマット変換によるデータ移管が正確に行われたかを検証できる。
【００２６】
【発明の実施の形態】
以下、本発明の実施の形態を、画像データベース移管システム、画像ファイル移出処理、画像ファイル移入処理、移管後の整合性チエック処理、他の実施の形態の順で説明する。
【００２７】
［画像データベース移管システム］
図１は、本発明の一実施の形態の画像データベース移管システムの構成図、図２は、本発明の一実施の形態の画像データベース移管処理の説明図、図３は、図１及び図２の移管元の画像データベースの構成図、図４は、図２における番号データファイルの構成図、図５は、図２のリストファイルの構成図、図６は、図２の受渡しファイルの構成図である。
【００２８】
図１は、Ａシステム１の顧客印鑑データをＢシステム２へ移管するシステムを示す。図１に示すように、移管元電子印鑑システム１は、システムサーバ３と、これにネットワーク１００で接続された多数のクライアント１０〜１ｎとで構成されている。システムサーバ３は、顧客印鑑データを格納する印鑑データベースファイル６と、移出処理する移出アプリケーションプログラム５とを有する。
【００２９】
多数のクライアント１０〜１ｎは、例えば、Ａ金融機関の各店舗に設けられ、店番号と口座番号をキーにし、印鑑データベースファイル６の印鑑データを参照し、照合する。
【００３０】
一方、移管先電子印鑑システム２は、システムサーバ４と、これにネットワーク１０２で接続された多数のクライアント２０〜２ｎとで構成されている。システムサーバ４は、顧客印鑑データを格納する印鑑データベースファイル８と、移入処理する移入アプリケーションプログラム７とを有する。
【００３１】
多数のクライアント２０〜２ｎは、例えば、Ｂ金融機関の各店舗に設けられ、店番号と口座番号をキーにし、印鑑データベースファイル８の印鑑データを参照し、照合する。
【００３２】
移管のため、移管元サーバ３と、移管先サーバ４とが、ネットワーク１０４を介し中間サーバ９に接続される。又、移管元サーバ３には、移管対象番号データを格納した媒体を読み取る媒体読取装置１１０が接続される。
【００３３】
次に、移管処理の概要を説明する。図２は、移管処理の説明図である。図２の電子印鑑データベース６は、図３に示すように、店番毎に区画されたデータベースを所有する。この店番毎の区画内部は、口座番号を示す口座番号部と、口座番号に示す口座の付帯情報（例えば、口座の有効／無効）を格納する口座付帯情報部と、その口座番号の印鑑イメージを独自の圧縮形式で格納する印鑑データ部と、印鑑の付帯情報（例えば、印鑑の有効／無効）を格納する印鑑付帯情報部とで構成される。
【００３４】
図２の移出アプリケーションプログラム５は、図４に示す、予め用意した移管元口座番号と移管先口座番号を１セットの１レコードとした番号データファイルを、図１の媒体読取装置１１０から読み込み、その番号データをもとに、電子印鑑データベース６から対象となる移管元口座の顧客印鑑データを抽出して、対象データファイル６０を作成する。
【００３５】
次に、対象データファイル６０の対象口座の顧客印鑑データを、オープンな共通フォーマット形式の受渡しファイル６２に変換する。図６は、共通フォーマット形式の受渡しファイル６２の構成図であり、ファイル名を、移管元店番−移管先店番．拡張子で定義し、各口座に対し、口座情報部と、各印鑑の印鑑情報部と格納する。
【００３６】
口座情報部は、移管元口座番号、移管先口座番号、印鑑情報格納件数、口座付帯情報１〜４で構成される。又、印鑑情報部は、印鑑番号と、印鑑番号内での印鑑の世代と、印鑑の付帯情報１〜４、印鑑のイメージデータで構成される。この印鑑のイメージデータとして、前述の変換で、独自の圧縮形式から汎用形式（ＴＩＦＦ等）に変換されたものが格納される。
【００３７】
そして、図５に示す、作成された受渡しファイル６２のファイル名を格納するリストファイル６３を作成する。更に、移出アプリケーションプログラム５は、作成された受渡しファイル６２とリストファイル６３を、中間サーバ９に転送する。
【００３８】
次に、移管先サーバ４は、移入アプリケーションプログラム７を実行して、受渡しファイル６２をもとに、自己の電子印鑑データベース８に、顧客データを移入する。移入アプリケーションプログラム７は、図３と同様に、店番毎に区画されたデータベースを所有する電子印鑑データベースシステム８に、図５及び図６に記述した構造を有する受渡しファイル６２及びリストファイル６３をもとに、顧客印鑑データを格納する移入作業を実施する。
【００３９】
即ち、中間サーバ９からリストファイル６３と受渡しファイル６２を集信し、リストファイル６３を参照して、受渡しファイル６２のファイル名を認識する。
そして、その認識したファイル名に付与された移管先店番で、データを移入する移管先店番区画を判断し、且つ受渡しファイル６２の共通フォーマット形式を自己のフォーマット形式に変換したファイル８０を作成する。そして、自己の電子印鑑データベース８のその移管先店番区画に、移入対象の変換された顧客データを格納する。ここで、後述するように、ファイルのフォーマットは、自己のフォーマット形式に、印鑑イメージデータは、汎用形式から自己の圧縮形式に変換される。
【００４０】
次に、前述の画像ファイル（印鑑ファイル）の移出処理と移入処理を詳細に説明する。
【００４１】
［画像ファイル移出処理］
先ず、図３に示すような一般的な既存の電子印鑑データベースを所有する電子印鑑データベースシステムを例に、対象データの抽出を行なう移出処理を説明する。図７は、図２の移出処理プログラムの処理フロー図、図８及び図９は、その動作説明図、図１０は、図７の格納対象項目定義テーブルの構成図である。
【００４２】
図８、図９、図１０を参照して、図７の移出処理を説明する。
【００４３】
（Ｓ１０）移管元のシステムから対象データの抽出を行なうために、その対象データを特定する鍵となる口座番号が記述された番号データファイル（図４）が、予めフロッピーデイスク等の記憶媒体１１２に用意され、媒体読取装置１１０を介し番号データファイル（図４）を読み込む（図８参照）。その番号データを、移管元口座で、昇順ソートする。
【００４４】
（Ｓ１２）ソート結果から移管元対象となる店番を特定し、当該店番区画ごとに、印鑑データベース６から抽出し、移管元店番区画ファイル６８を作成する。
そして、この移管元店番区画ファイル６８を、口座番号順にソートする。
【００４５】
（Ｓ１４）この後、対象データの共通フォーマット作成を行う。即ち、番号データファイル（図４）の１つ移管元口座番号を取り出し、口座番号順にソートされた移管元店番区画ファイル６８の移管元口座番号と比較する。一致したものがない場合には、ステップＳ２２に進む。
【００４６】
（Ｓ１６）一致した口座番号があると、図３の移管元口座番号の印鑑データを、図６の共通フォーマット形式の口座単位のファイルに変換する。そして、そのファイル名（図６の移管元店番―移管先店番）を作成し、図５のリストファイル６３を参照する。
【００４７】
（Ｓ１８）リストファイル６３に、そのファイル名が存在する場合には、その共通フォーマットファイル（図６）に追記する。一方、リストファイル６３に、そのファイル名が存在しない場合には、そのファイル名の共通フォーマットファイル（図６）を新規に作成する。
【００４８】
（Ｓ２０）次に、図１０の格納対象項目定義テーブルを参照する。この格納対象項目参照テーブルは、移管元で出力（格納）すべき（してよい）項目を、ＯＮ／ＯＦＦのフラグで定義する。共通フォーマットのファイルから格納対象項目定義テーブルで定義された対象項目を抽出し、受渡し形式ファイル６２に出力する。
この受渡し形式ファイル６２に出力する際には、一致した番号データファイル（図４）の移管元口座番号と対になる移管先口座番号を付与して格納する。
【００４９】
（Ｓ２２）番号データファイル（図４）の全ての移管元口座番号について、共通フォーマット作成を終了したかを判定する。終了していないと、ステップＳ１４に戻り、次の移管元口座番号の共通フォーマット作成を行う。一方、終了していると、共通フォーマット作成を終了する。
【００５０】
そして、図８に示すように、作成した受渡しファイル６２とリストファイル６３を、中間サーバ９に転送する。中間サーバ９は、この受渡しファイル６２とリストファイル６３を格納する。
【００５１】
このように、移出処理により、印鑑データベース６の対象印鑑データが、抽出され、移管元口座番号と移管先口座番号で定義されたフォーマット（項目形式及び汎用形式の印鑑イメージ、署名イメージ）に変換される。また、番号データファイル内のレコードが示す店番を元に、移管元店番区画を取り出すため、移管元店番単位の受渡しファイルを容易に作成できる。
【００５２】
更に、移管元店番区画を口座番号順にソートし、移管元口座番号と比較するため、高速に対象口座番号データを抽出でき、共通フォーマットファイルを高速に作成できる。
【００５３】
［画像ファイル移入処理］
次に、図５及び図６に示すようなリストファイル６３と、受渡しファイル６２を例に、対象データを電子印鑑データベースに格納する移入処理を説明する。図１１は、図２の移入処理プログラムの処理フロー図、図１２及び図１３は、その動作説明図、図１４は、受渡しファイルから自社データベース構造への変換例の説明図である。
【００５４】
図１２、図１３、図１４を参照して、図１１の移入処理を説明する。
【００５５】
（Ｓ３０）移管元から提供されたリストファイル６３と受渡しファイル６２とを中間サーバ９から読み出し、格納する（図１２参照）。リストファイル６３を参照して、移入する顧客データが格納された受渡しファイルのファイル名を獲得し、獲得したファイル名により受渡しファイル６２を読み込む。そして、受渡しファイル６２を、移管先口座番号順にソートする。
【００５６】
（Ｓ３２）次に、中間ファイルの作成を行う。移管先口座番号順にソートされた受渡しファイルの共通フォーマット形式の各口座番号のデータを抽出する。
【００５７】
（Ｓ３４）抽出した口座番号に対し、図１０の格納対象項目定義テーブルを参照する。この格納対象項目参照テーブルは、移管先で格納すべき項目を、ＯＮ／ＯＦＦのフラグで定義する。この共通フォーマットのファイルから格納対象項目定義テーブルで定義された対象項目を抽出し、中間ファイル８４に出力する。この時、読込んだイメージデータ等を自社形式に変換して、中間ファイル８４を作成する（図１２、図１３参照）。図１４は、その変換例であり、例えば、ＳＪＩＳコード系の受渡しファイルを、ＥＵＣコード系に変換し、且つ西暦を和暦に変換し、汎用圧縮形式（ＴＩＦＦ）の印鑑イメージ等を、独自圧縮形式の印鑑イメージに変換する。更に、自社データベースに必要な項目を格納する。
【００５８】
（Ｓ３６）全ての移管先口座番号について、中間ファイル８４の作成を終了したかを判定する。終了していないと、ステップＳ３２に戻り、次の移管先口座番号の中間ファイルの作成を行う。一方、終了していると、中間ファイル３８の作成を終了する。
【００５９】
（Ｓ３８）受渡しファイル６２のファイル名に付与される移管先店番により移管先店番区画をダイレクトに特定し、印鑑データベース８から移管先の店番区画８２を吸い上げ、その移管先店番区画８２のデータ＋中間ファイル８４のデータである合成ファイル８６を作成する。
【００６０】
（Ｓ４０）この合成ファイル８６を、印鑑データベース８の移管先店番区画に格納する。
【００６１】
（Ｓ４２）全ての受渡しファイル６２の移入処理を終了したかを判定する。終了していない場合には、ステップＳ３０に戻り、終了している場合には、移入処理を終了する。
【００６２】
このように、移入処理により、共通フォーマット形式の受渡しファイルの対象印鑑データが、抽出され、移管先口座番号で定義されたフォーマット（項目形式及び汎用形式の印鑑イメージ、署名イメージ）に変換される。また、受渡しファイル名から移管先店番区画を取り出すため、移管先店番単位の処理を行うことができる。
【００６３】
更に、移管先口座番号順にソートし、移管先口座番号と比較するため、高速に共通フォーマットファイルから中間ファイルを高速に作成できる。異なる電子印鑑データベースシステム間の顧客データの移管が可能となる。
【００６４】
このように、共通フォーマットとして定義するリストファイル及び受渡しファイルを介在させた移管処理方式を対応することにより、移管元で自己のデータベースより対象データを抜出して共通フォーマット形式に出力するので、移管先のシステムでは異なる相手のデータベース構造を意識する必要が無くなる。
【００６５】
又、移管元で抽出した対象データに移管先の口座番号を付与するので移管先のシステムにて改めて口座番号を割り振る必要がない。更に、移管元で作成した受渡しファイル名に移管元店番及び移管先店番が付与されるため、移管先のシステムでは、ファイル名を参照するだけで印鑑データベース内の移管先店番区画を認識できる。
【００６６】
更に、移管元で作成した受渡しファイル名に移管元店番及び移管先店番が付与されるため、移管する顧客データが何れの店番内のデータから何れの店番に移管するデータかが明瞭である。これにより、移管先の移入処理が全体的に簡素化される。
【００６７】
［移管後の整合性チエック処理］
次に、相互に受渡されたデータを格納後に、特に格納したイメージデータの妥当性をチエックする方法を説明する。即ち、イメージデータにおいては、各メーカーともに独自の圧縮方式をもちいて管理している場合が多々あり、その技術については各メーカーとも独自技術として保護すべきものと認識している。したがって、同業他社に対してこれらの技術を開示しあう傾向はなく、生データを提供することはまず有り得ない。
【００６８】
そのため、前述のように、共通フォーマット形式に格納するイメージデータを汎用的な圧縮方式に変換して格納する方法を提案した。この方式により、メーカーの独自技術を保護した上でのデータ受渡しが可能となるが、イメージの生データを汎用的な圧縮形式に一旦変換して受渡し、さらに移入側にて独自形式に変換して格納するため、データの変換が２回介在することになる。
【００６９】
この点で、データの劣化が発生していないかを検証する手段を求められると予測されるため、異なるメーカー間でデータの移管を実施後、移管結果の妥当性を検証する方式を、図１５及び図１６で説明する。
【００７０】
図１５に示すように、移管元サーバ３では、作成した受渡しファイル６２−１及びリストファイル６３−１をバックアップしておく。一方、移管先サーバ４では、受け渡されたファイル６２を元に自システムに移管データを格納する。その格納が完了後に、差し戻し口座番号を抽出し、印鑑データベース８から移管先データベース６から格納したデータの差し戻し抽出を実施して、受渡しファイル（以降、差し戻しファイル８８と記す）を作成する。作成した差し戻しファイル８８を中間サーバ９に転送し、移管先サーバ４の作業を終了する。
【００７１】
この差し戻しファイル８８には、前述の図１４で説明した自社データベース形式から共通フォーマット形式に変換した口座データを含む。
【００７２】
次に、検証作業を実施するため、図１６に示すように、移管元サーバ３が、中間サーバ９から差し戻しファイル８８を獲得し、獲得した差し戻しファイル８８とバックアップデータ（受渡しファイル６２−１及びリストファイル６３−１）とを比較して、整合性をチエックする。
【００７３】
これにより、フォーマット形式が異なっても、且つ互いのフォーマットを開示することなく、移管の結果を検証することが可能となる。
【００７４】
［他の実施の形態］
画像データベースとして、前述の実施の形態では、図１のような印鑑データベース例に、説明したが、署名データベースや他の画像コンテンツのデータベースに適用できる。
【００７５】
又、中間サーバを介在しているが、これを光デイスク、磁気デイスク、磁気テープ等の可搬性のある記憶媒体を使用しても良い。
【００７６】
以上、本発明を実施の形態により説明したが、本発明の趣旨の範囲内において、本発明は、種々の変形が可能であり、本発明の範囲からこれらを排除するものではない。
【００７７】
（付記１）第１のフォーマット形式で構成された第１の画像ファイルを格納する第１の画像データベースシステムから第２のフォーマット形式で構成された第２の画像ファイルを格納する第２の画像データベースシステムへ前記第１の画像ファイルを移管する画像データベースの移管方法において、前記第１の画像データベースシステムから移管対象となる前記第１の画像ファイルを抽出するステップと、前記抽出された画像ファイルを共通フォーマットの画像ファイルに変換するステップと、前記変換された画像ファイルを前記第２のフォーマット形式の画像ファイルに変換するステップと、前記第２のフォーマット形式の画像ファイルを前記第２の画像データベースシステムに格納するステップとを有することを特徴とする画像データベースの移管方法。
【００７８】
（付記２）前記共通フォーマットの画像ファイルに変換するステップは、第１の圧縮方式で圧縮された画像ファイルを、共通の形式の画像ファイルに変換するステップからなり、前記第２のフォーマット形式の画像ファイルに変換するステップは、前記共通の形式の画像ファイルを第２の圧縮方式の画像ファイルに変換するステップからなることを特徴とする付記１の画像データベースの移管方法。
【００７９】
（付記３）前記第１の画像データベースの前記第１の画像ファイルは、前記第１の圧縮方式で圧縮された印鑑イメージを格納する印鑑ファイルであり、前記第２の画像データベースの前記第２の画像ファイルは、前記第２の圧縮方式で圧縮された印鑑イメージを格納する印鑑ファイルであることを特徴とする付記２の画像データベースの移管方法。
【００８０】
（付記４）前記共通フォーマットに変換された画像ファイルを、前記第１の画像データベースシステムから中間サーバに転送するステップと、前記中間サーバの前記共通フォーマットに変換された画像ファイルを第２の画像データベースシステムが読み出すステップとを更に有することを特徴とする付記１の画像データベースの移管方法。
【００８１】
（付記５）前記抽出ステップは、移管対象とされた画像ファイル名のリストを読み込むステップと、読み込んだ画像ファイル名で、前記第１の画像データベースシステムを検索して、前記対象となる画像ファイルを抽出するステップとからなることを特徴とする付記１の画像データベースの移管方法。
【００８２】
（付記６）前記第２の画像データベースシステムに格納された前記第２のフォーマット形式の画像ファイルを前記共通フォーマットの画像ファイルに逆変換するステップと、前記逆変換された画像ファイルと、前記第１の画像データベースシステムの前記共通フォーマットの画像ファイルと照合するステップとを更に有することを特徴とする付記１の画像データベースの移管方法。
【００８３】
（付記７）第１のフォーマット形式で構成された第１の画像ファイルを格納する第１の画像データベースシステムから第２のフォーマット形式で構成された第２の画像ファイルを格納する第２の画像データベースシステムへ前記第１の画像ファイルを移管する画像データベースの移管システムにおいて、前記第１の画像データベースシステムから移管対象となる前記第１の画像ファイルを抽出し、前記抽出された画像ファイルを共通フォーマットの画像ファイルに変換する第１のサーバと、前記変換された画像ファイルを前記第２のフォーマット形式の画像ファイルに変換し、前記第２のフォーマット形式の画像ファイルを前記第２の画像データベースシステムに格納する第２のサーバとを有することを特徴とする画像データベースの移管システム。
【００８４】
（付記８）前記第１のサーバは、第１の圧縮方式で圧縮された画像ファイルを、共通の形式の画像ファイルに変換し、前記第２のサーバは、前記共通の形式の画像ファイルを第２の圧縮方式の画像ファイルに変換することを特徴とする付記７の画像データベースの移管システム。
【００８５】
（付記９）前記第１の画像データベースの前記第１の画像ファイルは、前記第１の圧縮方式で圧縮された印鑑イメージを格納する印鑑ファイルであり、前記第２の画像データベースの前記第２の画像ファイルは、前記第２の圧縮方式で圧縮された印鑑イメージを格納する印鑑ファイルであることを特徴とする付記８の画像データベースの移管システム。
【００８６】
（付記１０）前記第１のサーバから転送された前記共通フォーマットに変換された画像ファイルを格納し、前記格納した共通フォーマットに変換された画像ファイルを第２の画像データベースシステムに転送する中間サーバを更に有することを特徴とする付記７の画像データベースの移管システム。
【００８７】
（付記１１）前記第１のサーバは、移管対象とされた画像ファイル名のリストを読み込み、読み込んだ画像ファイル名で、前記第１の画像データベースシステムを検索して、前記対象となる画像ファイルを抽出することを特徴とする付記７の画像データベースの移管システム。
【００８８】
（付記１２）前記第２のサーバが、前記第２の画像データベースシステムに格納された前記第２のフォーマット形式の画像ファイルを前記共通フォーマットの画像ファイルに逆変換し、前記第１のサーバが、前記逆変換された画像ファイルと、前記第１の画像データベースシステムの前記共通フォーマットの画像ファイルと照合することを特徴とする付記７の画像データベースの移管システム。
【００８９】
【発明の効果】
このように、本発明では、システム間の画像ファイルの移管を、共通フォーマットとして定義する受渡しファイルを介在させることにより、移管元で自己のデータベースより対象データを抜出して共通フォーマット形式に出力するので、移管先のシステムでは、異なる相手のデータベース構造を意識する必要が無く、移管を実行できる。
【図面の簡単な説明】
【図１】本発明の一実施の形態の電子画像データベース移管システムの構成図である。
【図２】本発明の一実施の形態の電子画像データベース移管処理の説明図である。
【図３】図２の電子画像データベースの構成図である。
【図４】図２の移管番号ファイルの構成図である。
【図５】図２のリストファイルの構成図である。
【図６】図２の受渡しファイルの構成図である。
【図７】本発明の一実施の形態の移出処理フロー図である。
【図８】図７の移出処理の動作説明図である。
【図９】図７の移出処理のファイルの関係図である。
【図１０】図７の格納対象項目定義テーブルの構成図である。
【図１１】本発明の一実施の形態の移入処理フロー図である。
【図１２】図１１の移入処理の動作説明図である。
【図１３】図１１の移入処理のファイルの関係図である。
【図１４】図１１の移入処理のフォーマット変換例の説明図である。
【図１５】本発明の一実施の形態の移管検証処理の説明図である。
【図１６】図１５の検証処理の説明図である。
【符号の説明】
１  第１の電子印鑑データベースシステム
２  第２の電子印鑑データベースシステム
３、４  システムサーバ
５  移出アプリケーションプログラム
６  第１の印鑑データベース
７  移入アプリケーションプログラム
８  第２の印鑑データベース
９  中間サーバ
１０〜１ｎ，２０〜２ｎ  クライアント
【図１】
2004264946.tif 000003
【図２】
2004264946.tif 000004
【図３】
2004264946.tif 000005
【図４】
2004264946.tif 000006
【図５】
2004264946.tif 000007
【図６】
2004264946.tif 000008
【図７】
2004264946.tif 000009
【図８】
2004264946.tif 000010
【図９】
2004264946.tif 000011
【図１０】
2004264946.tif 000012
【図１１】
2004264946.tif 000013
【図１２】
2004264946.tif 000014
【図１３】
2004264946.tif 000015
【図１４】
2004264946.tif 000016
【図１５】
2004264946.tif 000017
【図１６】
2004264946.tif 000018